(57)【特許請求の範囲】
【請求項１】
方法であって、
無線ネットワークを介した送信のために、複数のデータ・シンボルを受信することと、
複数のプリコーダのうちの１つを用いることによって、シンボル期間において、前記複数のデータ・シンボルのうちの１つをプリコードすることと、
前記複数のプリコーダの準ランダムな順序を指定するプリコーダ・シーケンスを、識別子あるいは１または複数の通信パラメータに少なくとも部分的に基づいて生成することと、
次のシンボル期間において、前記複数のデータ・シンボルのうちの次のデータ・シンボルをプリコードするために、プリコーダ・シーケンスにおいて指定された前記複数のプリコーダから、次のプリコーダを選択することと、
前記次のデータ・シンボルの再送信をプリコードするために、前記プリコーダ・シーケンスにおける次のプリコーダに後続する別のプリコーダを選択することと、
を備え、
前記プリコーダ・シーケンスは、現在のシーケンスをサイクルする毎に新たに生成される、方法。
【請求項２】
前記複数のプリコーダを選択することをさらに備え、
前記複数のプリコーダは、無線デバイスによって利用される複数のプリコーダのサブセットである請求項１に記載の方法。
【請求項３】
前記選択することは、１または複数の通信パラメータに少なくとも部分的に基づいて、前記複数のプリコーダを選択することを含む請求項２に記載の方法。
【請求項４】
前記選択することは、サウンディング基準信号の存在またはサイクリック・プレフィクス長さに基づいて、前記複数のプリコーダを選択することを含む請求項３に記載の方法。
【請求項５】
無線通信装置であって、
無線ネットワークを介した送信のために複数のデータ・シンボルを取得し、
複数のプリコーダのうちの１つを用いることによって、シンボル期間において、前記複数のデータ・シンボルのうちの１つをプリコードし、
前記複数のプリコーダの準ランダムな順序を指定するプリコーダ・シーケンスを、識別子あるいは１または複数の通信パラメータに少なくとも部分的に基づいて生成し、
次のシンボル期間において、前記複数のデータ・シンボルのうちの次のデータ・シンボルをプリコードするために、プリコーダ・シーケンスで指定された前記複数のプリコーダから、次のプリコーダを決定し、
前記次のデータ・シンボルの再送信をプリコードするために、前記プリコーダ・シーケンスにおける前記次のプリコーダの後に指定された別のプリコーダを決定する
ように構成された少なくとも１つのプロセッサと、
前記少なくとも１つのプロセッサに接続されたメモリと
を備え、
前記少なくとも１つのプロセッサはさらに、前記プリコーダ・シーケンスを、現在のシーケンスをサイクルする毎に新たに生成する、無線通信装置。
【請求項６】
前記少なくとも１つのプロセッサはさらに、前記複数のプリコーダを、前記無線通信装置に存在するプリコーダのサブセットとして選択するように構成された請求項５に記載の無線通信装置。
【請求項７】
前記少なくとも１つのプロセッサは、前記複数のプリコーダを、１または複数の通信パラメータに少なくとも部分的に基づいて選択する請求項６に記載の無線通信装置。
【請求項８】
前記１または複数の通信パラメータは、サイクリック・プレフィクス長さまたはサウンディング基準信号存在を含む請求項７に記載の無線通信装置。
【請求項９】
装置であって、
無線ネットワークを介した送信のために、複数のデータ・シンボルを取得する手段と、
複数のプリコーダのうちの１つを用いることによって、シンボル期間において、前記複数のデータ・シンボルのうちの１つをプリコードする手段と、
前記複数のプリコーダの準ランダムな順序を指定するプリコーダ・シーケンスを、識別子あるいは１または複数の通信パラメータに少なくとも部分的に基づいて生成する手段と、
次のシンボル期間において、前記複数のデータ・シンボルのうちの次のデータ・シンボルをプリコードするために、プリコーダ・シーケンスにおいて指定された前記複数のプリコーダから、次のプリコーダを選択する手段と、
前記次のデータ・シンボルの再送信をプリコードするために、前記プリコーダ・シーケンスにおける次のプリコーダに後続する別のプリコーダを選択する手段と、
を備え、
前記生成する手段はさらに、前記プリコーダ・シーケンスを、現在のシーケンスをサイクルする毎に新たに生成する、装置。
【請求項１０】
前記プリコーダを選択する手段はさらに、前記複数のプリコーダを、前記装置に存在するプリコーダのサブセットとして選択する請求項９に記載の装置。
【請求項１１】
前記プリコーダを選択する手段は、前記複数のプリコーダを、１または複数の通信パラメータにしたがって選択する請求項１０に記載の装置。
【請求項１２】
前記１または複数の通信パラメータは、サイクリック・プレフィクス長さまたはサウンディング基準信号存在を含む請求項１１に記載の装置。
【請求項１３】
コンピュータ読取可能な記録媒体であって、
少なくとも１つのコンピュータに、無線ネットワークを介した送信のために複数のデータ・シンボルを取得させるためのコードと、
前記少なくとも１つのコンピュータに、複数のプリコーダのうちの１つを用いることによって、シンボル期間において、前記複数のデータ・シンボルのうちの１つをプリコードさせるためのコードと、
前記少なくとも１つのコンピュータに、前記複数のプリコーダの準ランダムな順序を指定するプリコーダ・シーケンスを、識別子あるいは１または複数の通信パラメータに少なくとも部分的に基づいて生成させるためのコードと、
次のシンボル期間において、前記複数のデータ・シンボルのうちの次のデータ・シンボルをプリコードするために、前記少なくとも１つのコンピュータに、プリコーダ・シーケンスにおいて指定された前記複数のプリコーダから、次のプリコーダを決定させるためのコードと、
前記次のデータ・シンボルの再送信をプリコードするために、前記少なくとも１つのコンピュータに、前記プリコーダ・シーケンスにおける次のプリコーダの後に指定された別のプリコーダを決定させるためのコードと、
を記録し、
前記生成させるためのコードはさらに、前記少なくとも１つのコンピュータに、前記プリコーダ・シーケンスを、現在のシーケンスをサイクルする毎に新たに生成させるためのコードを備える、コンピュータ読取可能な記録媒体。
【請求項１４】
前記コンピュータ読取可能媒体はさらに、前記少なくとも１つのコンピュータに、前記複数のプリコーダを、無線デバイスに存在するプリコーダのサブセットとして選択させるためのコードを備える請求項１３に記載のコンピュータ読取可能な記録媒体。
【請求項１５】
前記少なくとも１つのコンピュータに、前記複数のプリコーダを選択させるためのコードは、１または複数の通信パラメータに少なくとも部分的に基づいて、前記複数のプリコーダを選択する請求項１４に記載のコンピュータ読取可能な記録媒体。
【請求項１６】
前記１または複数の通信パラメータは、サイクリック・プレフィクス長さまたはサウンディング基準信号存在を含む請求項１５に記載のコンピュータ読取可能な記録媒体。
【請求項１７】
装置であって、
無線ネットワークを介した送信のために、複数のデータ・シンボルを取得するデータ・シンボル受信構成要素と、
複数のプリコーダの準ランダムな順序を指定するプリコーダ・シーケンスを、識別子あるいは１または複数の通信パラメータに少なくとも部分的に基づいて生成するプリコーダ・シーケンス生成構成要素と、
前記複数のデータ・シンボルのうちのデータ・シンボルをプリコードするためのプリコーダを、前記複数のプリコーダから決定し、前記複数のデータ・シンボルのうちの次のデータ・シンボルをプリコードするための次のプリコーダを、プリコーダ・シーケンスにおいて指定された前記複数のプリコーダから決定するプリコーダ選択構成要素と、
前記プリコーダにしたがって、シンボル期間において前記データ・シンボルをプリコードし、前記次のプリコーダにしたがって、次のシンボル期間において前記次のデータ・シンボルをプリコードする信号プリコード構成要素と、
を備え、
前記プリコーダ・シーケンス生成構成要素はさらに、前記プリコーダ・シーケンスを、現在のシーケンスをサイクルする毎に新たに生成し、
前記プリコーダ選択構成要素はさらに、後続するデータ・シンボルをプリコードするために、前記プリコーダ・シーケンスにおける次のプリコーダの後に後続するプリコーダを選択し、前記後続するデータ・シンボルは、前記データ・シンボルの再送信である、装置。
【請求項１８】
前記プリコーダ選択構成要素はさらに、前記複数のプリコーダを、前記装置に存在するプリコーダのサブセットとして選択する請求項１７に記載の装置。
【請求項１９】
前記プリコーダ選択構成要素は、前記複数のプリコーダを、１または複数の通信パラメータにしたがって選択する請求項１８に記載の装置。
【請求項２０】
前記１または複数の通信パラメータは、サイクリック・プレフィクス長さまたはサウンディング基準信号存在を含む請求項１９に記載の装置。
【発明の詳細な説明】
【相互参照】
【０００１】
本願は、「無線通信システムにおけるアップリンク・オープン・ループ空間多重化のための方法および装置」（A METHOD AND APPARATUS FOR UPLINK OPEN-LOOP SPATIAL MULTIPLEXING IN A WIRELESS COMMUNICATION STYSTEM）と題された２００９年２月２日に出願された米国仮出願６１／１４９，２０９号の利益を主張する。この全体は、本明細書において参照によって組み込まれている。
【技術分野】
【０００２】
本開示は、一般に、無線通信に関し、さらに詳しくは、アップリンク・オープン・ループ空間多重化に関する。
【背景技術】
【０００３】
無線通信システムは、例えば、音声、データ等のようなさまざまなタイプの通信コンテンツを提供するために広く開発された。一般に、無線通信システムは、利用可能なシステム・リソース（例えば、帯域幅、送信電力）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰロング・ターム・イボリューション（ＬＴＥ）、ウルトラ・モバイル・ブロードバンド（ＵＭＢ）等のような仕様に準拠しうる。
【０００４】
一般に、無線多元接続通信システムは、複数のモバイル・デバイスのための通信を同時にサポートすることができる。モバイル・デバイスはおのおのの、順方向リンクおよび逆方向リンクによる送信によって、１または複数のアクセス・ポイント（例えば、基地局、フェムトセル、ピコセル、リレー・ノード等）と通信しうる。順方向リンク（すなわちダウンリンク）は、アクセス・ポイントからモバイル・デバイスへの通信リンクを称し、逆方向リンク（すなわちアップリンク）は、モバイル・デバイスからアクセス・ポイントへの通信リンクを称する。さらに、モバイル・デバイスとアクセス・ポイントとの間の通信は、単一入力単一出力（ＳＩＳＯ）システム、複数入力単一出力（ＭＩＳＯ）システム、複数入力複数出力（ＭＩＭＯ）システム等によって確立されうる。さらに、ピア・トゥ・ピア無線ネットワーク構成において、モバイル・デバイスが、他のモバイル・デバイスと（および／または、アクセス・ポイントが、他のアクセス・ポイントと）通信することができる。
【０００５】
さらに、モバイル・デバイスは、複数のアンテナを含むことができ、複数のアンテナを使用して、アクセス・ポイントへアップリンク通信を送信することができる。モバイル・デバイス（またはアクセス・ポイント）は、レイヤ間干渉を最小にするために、クローズド・ループ・マルチ・レイヤ送信において、モバイル・デバイスのための特定のプリコードを選択しうる。例えば、アクセス・ポイントは、所望のプリコードに関する情報を、モバイル・デバイスへフィードバックしうる。この点に関し、モバイル・デバイスは、例えばＬＴＥアドバンストのようないくつかの無線ネットワーク構成の高データ・レート要件を満足しうる。
【発明の概要】
【０００６】
以下は、そのような態様の基本的な理解を与えるために、特許請求された主題のさまざまな態様の簡略化された概要を示す。この概要は、考えられるすべての態様の広範囲な概観ではなく、そのような態様の重要要素や決定的要素を特定することも、範囲を線引きすることも意図されていない。その唯一の目的は、後に示されるより詳細な記載に対する前置きとして、開示された対応のいくつかの概念を、簡略化された形式で示すことである。
【０００７】
１または複数の実施形態および対応する開示によれば、さまざまな態様は、アップリンク無線通信のための単一キャリア特性を維持しながら、アップリンク無線通信におけるオープン・ループ空間多重化を容易にすることに関して記載される。１つの例において、無線ネットワークにおいて送信しているデバイスは、送信ダイバーシティを提供するために、利用可能なプリコーダを、時間にわたってサイクルしうる。例えば、プリコーダの数は、デバイスの送信アンテナの数に依存して固定されうる。さらに、例えば、プリコーダは、データ・シンボル、サブフレーム等のような所与の時間単位でサイクルされうる。
【０００８】
関連する態様によれば、無線ネットワークを介した送信のために、複数のデータ・シンボルを受信することと、利用可能な複数のプリコーダのうちの１つを用いることによって、複数のデータ・シンボルのうちの１つをプリコードすることとを含む方法が提供される。この方法はまた、複数のデータ・シンボルにおける次のデータ・シンボルをプリコードするために、プリコーダ・シーケンスにおいて指定された利用可能な複数のプリコーダから、次のプリコーダを選択することを含む。
【０００９】
別の態様は、無線通信装置に関する。この無線通信装置は、無線ネットワークを介した送信のために複数のデータ・シンボルを取得し、利用可能な複数のプリコーダのうちの１つを用いることによって、複数のデータ・シンボルのうちの１つをプリコードするように構成された少なくとも１つのプロセッサを含みうる。この少なくとも１つのプロセッサはさらに、複数のデータ・シンボルにおける次のデータ・シンボルをプリコードするために、プリコーダ・シーケンスで指定された利用可能な複数のプリコーダから、次のプリコーダを決定するように構成されている。この無線通信装置はまた、少なくとも１つのプロセッサに接続されたメモリをも備える。
【００１０】
また、別の態様は、装置に関する。この装置は、無線ネットワークを介した送信のためにデータ・シンボルを取得する手段と、プリコーダ・シーケンスにおける次のプリコーダにしたがって、データ・シンボルをプリコードするためのプリコーダを選択する手段とを含む。この装置はさらに、このプリコーダにしたがって、データ・シンボルをプリコードする手段を含む。
【００１１】
また別の態様は、コンピュータ・プログラム製品に関する。これは、少なくとも１つのコンピュータに、無線ネットワークを介した送信のために複数のデータ・シンボルを取得させるためのコードと、少なくとも１つのコンピュータに、利用可能な複数のプリコーダのうちの１つを用いることによって、複数のデータ・シンボルのうちの１つをプリコードさせるためのコードとを含むコンピュータ読取可能媒体を有しうる。このコンピュータ読取可能媒体はまた、複数のデータ・シンボルにおける次のデータ・シンボルをプリコードするために、少なくとも１つのコンピュータに、プリコーダ・シーケンスで指定された利用可能な複数のプリコーダから、次のプリコーダを決定させるためのコードを備えうる。
【００１２】
さらに、追加の態様は、無線ネットワークを介した送信のためにデータ・シンボルを取得するデータ・シンボル受信構成要素と、プリコーダ・シーケンスにおける次のプリコーダにしたがって、データ・シンボルをプリコードするためのプリコーダを決定するプリコーダ選択構成要素とを含む装置に関する。この装置はさらに、プリコーダにしたがって、データ・シンボルまたは代表信号をプリコードする信号プリコード構成要素を含みうる。
【００１３】
前述した目的および関連する目的を達成するために、１または複数の実施形態は、後に十分に記載され、特許請求の範囲において特に指摘されている特徴を備える。次の記載および添付図面は、１または複数の実施形態のある実例となる態様を詳細に記載する。しかしながら、これらの態様は、さまざまな実施形態の原理が適用されるさまざまな方式のうちの僅かしか示しておらず、記載された実施形態は、このようなすべての態様およびそれらの均等物を含むことが意図されている。
【図面の簡単な説明】
【００１４】
【図１】図１は、無線デバイス送信ダイバーシティを高めるためにプリコーダをサイクルするためのシステムのブロック図である。
【図２】図２は、無線通信環境において適用される通信装置の例の図示である。
【図３】図３は、利用可能なプリコーダをサイクルするためのプリコーダ・シーケンスを受信および／または生成するためのシステムの例のブロック図を例示する。
【図４】図４は、通信フレーム割当またはサブフレーム割当、および、関連するデータ・シンボルのためのサンプル・プリコーダ割当を例示する。
【図５】図５は、プリコーダ・シーケンスにしたがって、送信をプリコードするためのプリコーダを選択する方法の例のフロー図である。
【図６】図６は、送信をプリコードするために、プリコーダ・シーケンスから、後続するプリコーダを選択する方法の例のブロック図である。
【図７】図７は、プリコーダ・シーケンスにしたがってデータ・シンボルをプリコードすることを容易にする装置の例のブロック図である。
【図８】図８は、本明細書に記載された機能のさまざまな態様を実施するために利用されうる無線通信デバイスの例のブロック図である。
【図９】図９は、本明細書に記載された機能のさまざまな態様を実施するために利用されうる無線通信デバイスの例のブロック図である。
【図１０】図１０は、本明細書に記載されたさまざまな態様にしたがう無線通信多元接続通信システムの例を例示する。
【図１１】図１１は、本明細書に記載されたさまざまな態様が機能しうる無線通信システムを例示するブロック図である。
【発明を実施するための形態】
【００１５】
権利主張された主題のさまざまな態様が、全体を通じて同一要素を示すために同一の参照番号が使用される図面を参照して説明される。以下の記載では、説明の目的のために、１または複数の態様の完全な理解を提供するために、多くの具体的な詳細が述べられる。しかしながら、そのような態様は、これら具体的な詳細無しで実現されうることが明確である。他の事例では、１または複数の態様の記載を容易にするために、周知の構成およびデバイスがブロック図形式で示される。
【００１６】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを称することが意図されている。例えば、構成要素は、限定される訳ではないが、プロセッサ上で実行中のプロセス、集積回路、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００１７】
さらに、さまざまな態様は、本明細書において、無線端末および／または基地局に関して記載される。無線端末は、ユーザに音声および／またはデータ接続を提供するデバイスを称しうる。無線端末は、例えばラップトップ・コンピュータまたはデスクトップ・コンピュータのようなコンピュータ・デバイスに接続されるか、あるいは、例えば携帯情報端末（ＰＤＡ）のような自己完結型デバイスでありえる。無線端末はまた、システム、加入者ユニット、加入者局、移動局、モバイル、遠隔局、アクセス・ポイント、遠隔端末、アクセス端末、ユーザ端末、ユーザ・エージェント、ユーザ・デバイス、あるいはユーザ機器（ＵＥ）とも称されうる。無線端末は、加入者局、無線デバイス、セルラ電話、ＰＣＳ電話、コードレス電話、セッション初期化プロトコル（ＳＩＰ）電話、無線ローカル・ループ（ＷＬＬ）局、携帯情報端末（ＰＤＡ）、無線接続機能を有するハンドヘルド・デバイス、あるいは、無線モデムに接続されたその他の処理デバイスでありうる。基地局（例えば、アクセス・ポイントまたはイボルブド・ノードＢ（ｅＮＢ））は、１または複数のセクタを横切って、無線端末と、エア・インタフェースによって通信するアクセス・ネットワークにおけるデバイスを称しうる。基地局は、受信したエア・インタフェース・フレームをＩＰパケットに変換することによって、インターネット・プロトコル（ＩＰ）ネットワークを含みうるアクセス・ネットワークの無線端末とその他との間のルータとして動作することができる。基地局はまた、このエア・インタフェースのための属性管理をも調整する。
【００１８】
さらに、本明細書に記載のさまざまな機能は、ハードウェア、ソフトウェア、ファームウェア、あるいはこれらの組み合わせによって実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスすることが可能なあらゆる利用可能な媒体でありうる。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピ（登録商標）ディスク（ｄｉｓｋ）およびｂｌｕ−ｒａｙ（登録商標）ディスク（ｄｉｓｃ）（ＢＤ）を含んでいる。ここで、ｄｉｓｋは通常磁気的にデータを再生し、ｄｉｓｃは、レーザを用いてデータを光学的に再生する。上記の組み合わせもまた、コンピュータ読取可能媒体の範囲内に含まれるべきである。
【００１９】
本明細書に記載されたさまざまな技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）システム、およびその他のシステムのようなさまざまな無線通信システムのために使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。さらに、ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ＣＤＭＡ２０００およびＵＭＢは、「第３世代パートナシップ計画２」（３ＧＰＰ２）からの文書に記載されている。
【００２０】
多くのデバイス、構成要素、モジュール等を含みうるシステムの観点から、さまざまな態様が示されるだろう。さまざまなシステムは、さらなるデバイス、構成要素、モジュール等を含みうるか、および／または、これら図面と関連して説明されるデバイス、構成要素、モジュール等のうちの必ずしもすべてを含まないことが理解および認識されるべきである。これらのアプローチの組み合わせもまた使用されうる。
【００２１】
図面に示すように、図１は、高速通信を容易にする無線ネットワーク１００の例を例示する。無線ネットワーク１００は、コア・ネットワーク、または、その１または複数の構成要素（図示せず）へのアクセスを受信するために、例えば、アクセス・ポイント１０４のような別のデバイスと通信する無線デバイス１０２を含む。無線デバイス１０２は、ＵＥ、その一部、および／または、無線ネットワークへのアクセスを受信する実質的に任意のデバイスのようなモバイル・デバイスでありうる。さらに、アクセス・ポイント１０４は、マクロセル・アクセス・ポイント、フェムトセルまたはピコセル・アクセス・ポイント、ｅＮＢ、モバイル基地局、ピア・トゥ・ピア・モードで動作する別の無線デバイス、これらの一部、および／または、無線ネットワークへのアクセスを提供する実質的に任意のデバイスでありうる。
【００２２】
例えば、図示するように、無線デバイス１０２は、アクセス・ポイント１０４に対して別の位置を有する無線ネットワーク１００上に移動しうる。この点に関し、チャネル条件は、無線デバイス１０２とアクセス・ポイント１０４の間との通信チャネルで急激に変化しうる。クローズド・ループ空間多重化では、アクセス・ポイント１０４は、アクセス・ポイント１０４において無線デバイス１０２の送信の受信を最適化するプリコードを、無線デバイス１０２に対して明示しうる。プリコードは、信号を重み付けるために、例えばビームフォーミングのような最適化を信号を適用しうる。これによって、１または複数の方向における信号の送信電力が最大化される。しかしながら、オープン・ループ空間多重化では、このようなプリコード仕様は、無線デバイス１０２に利用可能ではない。
【００２３】
したがって、オープン・ループ空間多重化において送信ダイバーシティを維持するために、無線デバイス１０２は、アクセス・ポイント１０４へ送信する場合、利用可能なプリコーダを、時間にわたってサイクルしうる。ここで、プリコーダは、前述したようなプリコード、あるいは、類似の機能を、信号の送信前または送信時に１または複数の信号へ適用する（例えば、信号をプリコードする）構成要素でありうる。一例において、無線デバイス１０２内のプリコーダの数が、送信アンテナの数に基づきうる。何れにせよ、例えば、無線デバイス１０２は、連続したデータ・シンボル（例えば、ＯＦＤＭ通信におけるＯＦＤＭシンボル、ＳＣ−ＦＤＭ通信におけるＳＣ−ＦＤＭシンボル等）、通信フレーム（例えば、連続または不連続のＯＦＤＭ、ＳＣ−ＦＤＭ等のシンボルの集合）、サブフレーム（例えば、１または複数の通信フレームの一部）、異なる順序の連続または不連続のデータ・シンボル等のために異なるプリコーダを利用しうる。
【００２４】
さらに、例えば、利用可能なプリコーダのサブセットが、１つのデータ・シンボルから次のデータ・シンボルへサイクルされうる。そして、このサブセットは、１または複数の通信パラメータ等にしたがって定義されうる。さらに、例えば、サイクルの順序は、例えば識別子、通信判定基準等のような、無線デバイス１０２の１または複数の態様に基づきうる再使用パターンにしたがって、ランダム、固定、シーケンシャルに定義されうる。それに加えて、例えば、このサイクルは、再送信にもまた同様に利用されうる。したがって、プリコーダを時間にわたってサイクルすることによって、単一キャリア・アップリンク通信について送信ダイバーシティが高められる。この点に関し、無線ネットワークにわたって移動する無線デバイスのためのデータ送信の信頼性を高めるために、高速チャネル更新が取り扱われうる。
【００２５】
次に図２を参照して、無線通信ネットワークに参加しうる通信装置２００が例示される。この通信装置２００は、モバイル・デバイス（例えば、ＵＥ、モデム、または、その他の接続されたデバイス等）、この一部、アクセス・ポイント（例えば、マクロ・セル、フェムトセル、ピコセルのアクセス・ポイント、モバイル・アクセス・ポイント、ｅＮＢ、リレー・ノード、等）、または無線ネットワークで通信する実質的に任意のデバイスでありうる。この通信装置２００は、無線ネットワークにおける送信のために複数のデータ・シンボルを取得するデータ・シンボル受信構成要素２０２と、データ・シンボルのうちの１または複数へのアプリケーションのために、複数のプリコーダのうちの１つを決定するプリコーダ選択構成要素２０４と、決定されたプリコーダをデータ・シンボルまたは代表信号に適用する信号プリコード構成要素２０６と、プリコードされた信号を送信する送信構成要素２０８とを含みうる。
【００２６】
例によれば、データ・シンボル受信構成要素２０２は、無線ネットワークにおける送信のために、１または複数のデータ・シンボルを取得しうる。例えば、データ・シンボルは、（図示しない）無線ネットワークの１または複数のネットワーク構成要素に提供するための制御データ、ユーザ・プレーン・データ等に関連しうる。さらに、データ・シンボルは、１つの例において、ＯＦＤＭシンボル、ＳＣ−ＦＤＭシンボル等でありうる。プリコーダ選択構成要素２０４は、データ・シンボルのうちの少なくとも１つに適用するべき通信装置２００のプリコーダを決定しうる。１つの例において、通信装置２００は、通信装置２００によって適用されうる（図示しない）送信アンテナの数に基づきうる複数のプリコーダを含み、プリコーダに入力された信号をビームフォームするために使用されうる。
【００２７】
プリコーダ選択構成要素２０４は、１または複数のプリコーダ・シーケンスにしたがってプリコーダを決定しうる。例えば、プリコーダ選択構成要素２０４は、連続したデータ・シンボルのために、プリコーダ・シーケンスにしたがって、利用可能なプリコーダをサイクルしうる。この点に関し、プリコーダ・シーケンスは、受信または生成されたパターンにしたがって、識別子またはその他のパラメータに基づいてサイクリックにシフトされたシーケンスまたはパターンにしたがって、ランダム等によってシーケンシャルな順序で定義されうる。この点に関し、プリコーダ選択構成要素２０４は、プリコーダ・シーケンスにしたがって、現在のデータ・シンボルのためのものと異なるように、次のデータ・シンボルのために別のプリコーダを決定しうる。
【００２８】
所与のデータ・シンボルのためにプリコーダが選択されると、信号プリコード構成要素２０６は、前述したように、プリコーダを用いて、信号をプリコードする。プリコードの適用後、例えば、変調、多重化、符号化のようなその他の動作が、データ・シンボルに適用されうることが認識されるべきである。送信構成要素２０８は、プリコードされた信号を、無線ネットワーク内で送信しうる。記載したように、オープン・ループ空間多重化における連続したデータ・シンボルのために、異なるプリコーダを利用することは、無線ネットワークにおける送信ダイバーシティを高める。さらに、説明するように、プリコーダ選択構成要素２０４は、（例えば、ハイブリッド自動反復／要求（ＨＡＲＱ）手順において）再送信のためにも同様に、プリコーダをサイクルしうる。
【００２９】
例えば、プリコーダ選択構成要素２０４は、プリコーダ・シーケンスにしたがって、最後のプリコーダが、前の送信のために利用された後の後にプリコーダとなるべき、再送信のためのプリコーダを選択しうる。別の例において、プリコーダ選択構成要素２０４は、再送信のために、インデクスｋを持つプリコーダを選択しうる。ここで、ｋは、送信数または再送信数に応じうる。さらに、例えば、プリコーダ選択構成要素２０４は、利用可能なプリコーダのサブセットから、利用可能な所与の数のプリコーダを選択しうる。例えば、プリコーダ選択構成要素２０４は、プリコーダのサブセットを受信するか、あるいは、設定、仕様、１または複数のパラメータ（例えば、サイクリック・プレフィクス（ＣＰ）長さ、サウンディング基準信号（ＳＲＳ）の存在等）に少なくとも部分的に基づいて、プリコーダのサブセットを決定しうる。
【００３０】
図３を参照して、無線ネットワークにおいて、プリコーダ・シーケンスを生成することを容易にする無線通信装置３００が例示される。システム３００は、（図示しない）無線ネットワークへのアクセスを受信するためにアクセス・ポイント１０４と通信する無線デバイス１０２を含む。説明するように、無線デバイス１０２は、実質的に任意のタイプのモバイル・デバイス（独立して動作するデバイスのみならず、例えばモデムをも含む）、ＵＥ、それらの一部等であり、無線ネットワークへのアクセスを受信する。説明するように、アクセス・ポイント１０４は、マクロセル・アクセス・ポイント、フェムトセル・アクセス・ポイント、ピコセル・アクセス・ポイント、リレー・ノード、モバイル基地局、それらの一部、および／または、無線ネットワークへアクセスを提供する実質的に任意のデバイスでありうる。さらに、システム３００はＭＩＭＯシステムでありうる。および／または、１または複数の無線ネットワーク・システム仕様（例えば、ＥＶ−ＤＯ、３ＧＰＰ、３ＧＰＰ２、３ＧＰＰ  ＬＴＥ、ＷｉＭＡＸ等）に準拠しうる。
【００３１】
無線デバイス１０２は、プリコーダ選択構成要素２０４を含みうる。これは、説明するように、特定のデータ・シンボルへのプリコードを適用するために利用されるプリコーダを決定しうる。プリコーダ選択構成要素２０４は、無線デバイス１０２に関する１または複数のパラメータを取得するパラメータ決定構成要素３０２と、１または複数のパラメータまたはその他の考慮に基づいて、無線デバイス１０２のためのプリコーダ・シーケンスを生成するプリコーダ・シーケンス生成構成要素３０４とを含みうる。
【００３２】
例によれば、無線デバイス１０２に電源が投入され、アクセス・ポイント１０４との接続等が開始されると、パラメータ決定構成要素３０２は、無線デバイス１０２に関する１または複数のパラメータを測定または獲得しうる。例えば、パラメータは、無線デバイス１０２の識別子や、例えば信号対雑音比（ＳＮＲ）、スループット、帯域幅、タイプ、機能、サポートされたサービスのような１または複数の通信判定基準等でありうる。例えば、１または複数のパラメータに基づいて、および／または、設定または仕様に基づいて、プリコーダ・シーケンス生成構成要素３０４は、プリコーダ選択構成要素２０４のためにプリコーダ・シーケンスを生成する。プリコーダ選択構成要素２０４は、前述したように、１または複数の連続したデータ・シンボルを送信するために使用されるプリコーダをサイクルするために、プリコーダ・シーケンスを利用しうる。
【００３３】
例えば、無線デバイス１０２がＮ個のプリコーダを持ち、Ｎが正の整数である場合、プリコーダ・シーケンス生成構成要素３０４は、シーケンシャルなプリコーダ・シーケンス（０、１、２、・・・Ｎ）を生成しうる。ここで、プリコーダ選択構成要素２０４は、１つのデータ・シンボルから次のデータ・シンボルへと連続的にサイクルしうる。この例では、パラメータ決定構成要素３０２は、シーケンシャルなプリコーダ・シーケンスを生成するために、無線デバイス１０２のパラメータを測定する必要はないことが認識されるべきである。別の例において、パラメータ決定構成要素３０２は、無線デバイス１０２および／または１または複数の通信パラメータの識別子を検索しうる。例において、プリコーダ・シーケンス生成構成要素３０４は、識別子または通信パラメータに基づいて（例えば、ハッシュ関数または類似の関数に基づいて）、サイクリックにシフトされたシーケンシャルな、あるいは、非シーケンシャルなプリコーダ・シーケンスを指定する。
【００３４】
また別の例において、プリコーダ・シーケンス生成構成要素３０４は、さらにダイバーシティを提供するために、識別子または１または複数の通信パラメータに基づいて、ランダム・パターンまたは準ランダム・パターンのプリコーダ・シーケンスを生成しうる。例えば、複数の準ランダムなプリコーダ・シーケンスが定義され、識別子のハッシュ、あるいは、１または複数の通信パラメータの範囲に基づいて、プリコーダ選択構成要素２０４へ割り当てられる。さらに、例えば、プリコーダ・シーケンス構成要素３０４は、プリコーダ選択構成要素２０４が現在のシーケンスをサイクルする毎に、新たなプリコーダ・シーケンスを定義しうる。したがって、連続的なプリコーダ・シーケンスは異なっており、さらなるデイバーシティを提供する。
【００３５】
説明するように、プリコーダ・シーケンスを生成するために、Ｎ個のプリコーダのサブセットが利用されうることが認識されるべきである。この点に関し、プリコーダ・シーケンス生成構成要素３０４は、例えばＣＰ長さ（例えば、プリコードされた送信の、または、無線デバイス１０２による前の送信の）、ＳＲＳの存在（例えば、無線デバイス１０２がＳＲＳを送信したか、または、プリコードされるべき送信がＳＲＳを含むか）、
等のような１または複数の設定またはパラメータに少なくとも部分的に基づいて、Ｎ個のプリコーダのサブセットを選択しうる。何れにせよ、説明したように、プリコーダ選択構成要素２０４は、次のデータ・シンボルが、シーケンスにおける次のプリコーダを使用できるように、プリコーダ・シーケンスにしたがって、所与のデータ・シンボルのためのプリコーダを選択しうる。無線デバイス１０２は、説明するように、オープン・ループ空間多重化のためのダイバーシティを提供するために、それぞれのデータ・シンボルのプリコード、および、それぞれのデータ・シンボルのアクセス・ポイント１０４への送信の際に、選択されたプリコーダを利用しうる。さらに、説明するように、プリコーダ選択構成要素２０４は、再送信のためのシーケンスにしたがって選択を継続すること、再送信のために、プリコーダ・シーケンス生成構成要素３０４から、別のプリコーダ・シーケンスを受信すること等を行いうる。
【００３６】
図４に移って、無線通信フレームまたはサブフレーム４００の例が、データ・シンボルのプリコーダ割当とともに示されている。フレームまたはサブフレーム４００は、複数の連続したデータ・シンボル４０２、４０４、４０６、４０８、４１０、４１２、４１４、４１６、４１８、４２０を備える。これらは、フレームまたはサブフレーム４００において連続的であるか、または、不連続的である。１つの例において、データ・シンボル４０２、４０４、４０６、４０８、４１０、４１２、４１４、４１６、４１８、４２０は、無線ネットワークにおいて、割り当てられたリソースに対応するＯＦＤＭシンボルでありうる。これらは、周波数対時間の一部、ＳＣ−ＦＤＭシンボル等によって表されうる。これらシンボルはおのおの、所与の期間について、連続的なあるいは不連続的な多くの周波数サブキャリアを備えうる。
【００３７】
説明するように、無線デバイスは、おのおののデータ・シンボルにおける送信のために、データを符号化しうる。データ・シンボル４０２、４０４、４０６、４０８、４１０、４１２、４１４、４１６、４１８、４２０は、時間にわたって送信され、単一キャリア・システムにオープン・ループ空間多重化において送信ダイバーシティを提供するために、おのおののデータ・シンボルについて、プリコーダが選択されうる。図示するように、シンボル４０２は、プリコーダ１を用いてプリコードされうる。その後、プリコーダ２を用いてシンボル４０４がプリコードされる等によって、プリコーダ１−４が、連続したデータ・シンボルについてサイクルされる。シンボル４１０では、プリコーダ１が再び用いられ、サイクルが継続しうる。図示するように、このようなシーケンシャルなプリコーダ・シーケンスは、ランダム・シーケンス、準ランダム・シーケンス、パターン化されたシーケンス、サイクリックにシフトされたシーケンス等を含む潜在的に制限の無いシーケンスのうちの１つのである。
【００３８】
図５−６に参照するように、本明細書に記載されたさまざまな態様にしたがって実行されうる方法が例示される。説明の単純化の目的のために、これら方法は、一連の動作として図示および説明されているが、これら方法は、これら動作の順序によって限定されず、いくつかの動作は、１または複数の態様にしたがって、別の順序で、および／または、本明細書で図示および記載されたものとは別の動作と同時に引き起こることが理解および認識されるべきである。例えば、当業者であれば、これら方法はその代わりに、例えば状態図におけるように、一連の相互関連する状態またはイベントとして表されうることを理解し認識するだろう。さらに、１または複数の態様にしたがって方法を実現するために、必ずしも例示された全ての動作が必要とされる訳ではない。
【００３９】
図５を参照して、時間領域において、無線通信のためにプリコーダをサイクルするための方法５００の例が示される。５０２では、無線ネットワークを介した送信のために、複数のデータ・シンボルが受信されうる。説明するように、データ・シンボルは、ＯＦＤＭシンボルであるか、ＳＣ−ＦＤＭシンボルであるか、周波数部分対時間部分を表す類似のデータ・シンボルでありうる。５０４では、利用可能な複数のプリコーダのうちの１つを用いることによって、複数のデータ・シンボルのうちの１つがプリコードされうる。一例において、利用可能な複数のプリコーダは、無線デバイス内に存在するプリコーダのサブセットでありうる。５０６では、次のデータ・シンボルのために、プリコーダ・シーケンスで指定された利用可能な複数のプリコーダから、次のプリコーダが選択されうる。したがって、利用可能なプリコーダが、プリコーダ・シーケンスにしたがってサイクルされる。説明するように、プリコーダ・シーケンスは、識別子あるいは１または複数の通信パラメータにしたがって、シーケンシャルに、サイクリックにシフトされ、識別子あるいは１または複数の通信パラメータ等にしたがってランダムに、準ランダムに選択されうる。それに加えて、説明するように、次のデータ・シンボルは、既にプリコードされたデータ・シンボルの再送信でありうる。連続したデータ・シンボルのためにこのようなプリコーダ・シーケンスを用いることは、説明するように、さらなる送信ダイバーシティを与える。
【００４０】
図６に移って、無線ネットワークにおいて、データ・シンボルを通信するためにプリコーダを選択することを容易にする方法６００が例示される。６０２では、無線ネットワークによって送信するためにデータ・シンボルが取得されうる。このデータ・シンボルは、説明するように、ＯＦＤＭシンボル、ＳＣ−ＦＤＭシンボル、あるいは類似のシンボルでありうる。６０４では、プリコーダ・シーケンスにおける次のプリコーダにしたがって、データ・シンボルをプリコードするためのプリコーダが選択されうる。説明するように、プリコーダ・シーケンスは、識別子あるいは１または複数の通信パラメータにしたがってシーケンシャルに、サイクリックにシフトされ、識別子あるいは１または複数の通信パラメータ等にしたがってランダムに、準ランダムに選択されうる。プリコーダが選択されると、６０６において、このプリコーダを用いて、データ・シンボルがプリコードされうる。６０８では、後続するデータ・シンボルをプリコードするために、プリコーダ・シーケンス内の次のプリコーダの後に後続するプリコーダが選択されうる。説明するように、１つの例において、後続するデータ・シンボルは、データ・シンボルの再送信でありうる。
【００４１】
本明細書で説明された１または複数の態様によれば、プリコーダ・シーケンスを生成すること、データ・シンボルを送信するための次のプリコーダを決定すること等に関して推論がなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００４２】
図７を参照して、無線ネットワークにおいて、データ・シンボルを送信するためにプリコーダをサイクルするシステム７００が例示される。例えば、システム７００は、基地局、モバイル・デバイス等の中に少なくとも部分的に存在しうる。システム７００は、プロセッサ、ソフトウェア、またはそれらの組み合わせ（例えば、ファームウェア）によって実現される機能を表す機能ブロックでありうる機能ブロックを含むものとして示されることが認識されるべきである。システム７００は、連携して動作しうる電子構成要素の論理グループ７０２を含む。例えば、論理グループ７０２は、無線ネットワークによって送信するためのデータ・シンボルを取得するための電子構成要素７０４を含みうる。さらに、論理グループ７０２は、プリコーダ・シーケンスにおける次のプリコーダにしたがって、データ・シンボルをプリコードするためのプリコーダを選択するための電子構成要素７０６を含みうる。プリコーダ・シーケンスは、受信されうるか、あるいは、例えば、１または複数の識別子または通信パラメータに基づいて生成される。説明するように、プリコーダ・シーケンスは、識別子あるいは１または複数の通信パラメータにしたがってシーケンシャルに、サイクリックにシフトされ、識別子あるいは１または複数の通信パラメータ等にしたがってランダムに、準ランダムに選択されうる。説明するように、プリコーダ・シーケンスにしたがってプリコーダを選択することは、送信ダイバーシティを高めうる。
【００４３】
さらに、説明するように、電子構成要素７０６は、プリコーダ・シーケンスにしたがって、後続する連続したまたは不連続なデータ・シンボルのために後続するプリコーダを選択しうることが認識されるべきである。さらに、論理グループ７０２は、プリコーダにしたがってデータ・シンボルをプリコードするための電子構成要素７０８を含む。さらに、論理グループ７０２はまた、識別子、あるいは、１または複数の通信パラメータに少なくとも部分的に基づいて、プリコーダ・シーケンスを生成するための電子構成要素７１０を含みうる。したがって、電子構成要素７１０は、説明するように、識別子、あるいは、１または複数の通信パラメータにしたがって、サイクリックにシフトされたシーケンスや、準ランダムなシーケンス等を生成しうる。それに加えて、システム７００は、電子構成要素７０４、７０６、７０８、７１０に関連付けられた機能を実行するための命令群を保持するメモリ７１２を含みうる。メモリ７１２の外側にあるとして示されているが、電子構成要素７０４、７０６、７０８、７１０のうちの１または複数は、メモリ７１２内に存在しうることが理解されるべきである。
【００４４】
図８は、本明細書に記載された機能のさまざまな態様を実現するために利用されうるシステム８００のブロック図である。１つの例において、システム８００は、基地局またはｅＮＢ８０２を含みうる。例示するように、ｅＮＢ８０２は、１または複数の受信（Ｒｘ）アンテナ８０６によって１または複数のＵＥ８０４から信号（単数または複数）を受信し、１または複数の送信（Ｔｘ）アンテナ８０８によって１または複数のＵＥ（単数または複数）８０４へ送信しうる。さらに、ｅＮＢ８０２は、受信アンテナ（単数または複数）８０６から情報を受け取る受信機８１０を備えうる。一例において、受信機８１０は、受信した情報を復調する復調器（Ｄｅｍｏｄ）８１２と動作可能に関連付けられうる。その後、復調されたシンボルは、プロセッサ８１４によって分析されうる。プロセッサ８１４は、符号クラスタ、アクセス端末割当、これらに関連するルックアップ・テーブル、ユニークなスクランブリング・シーケンスに関連する情報、および／または、その他の適切なタイプの情報を格納しうるメモリ８１６に接続されうる。１つの例において、ｅＮＢ８０２は、方法５００、６００、および／または、その他の類似または適切な方法を実行するためにプロセッサ８１４を適用しうる。ｅＮＢ８０２はまた、送信機８２０による送信アンテナ（単数または複数）８０８を介した送信のための信号を多重化する変調器８１８を含みうる。
【００４５】
図９は、本明細書に記載された機能のさまざまな態様を実現するために利用されうる別のシステム９００のブロック図である。一例において、システム９００は、モバイル端末９０２を含んでいる。例示されるように、モバイル端末９０２は、１または複数の基地局９０４から信号を受信し、１または複数のアンテナ９０８によって１または複数の基地局９０４へと送信しうる。それに加えて、モバイル端末９０２は、アンテナ９０８から情報を受信する受信機９１０を備えうる。一例において、受信機９１０は、受信した情報を復調する復調器（Ｄｅｍｏｄ）９１２と動作可能に関連付けられうる。その後、復調されたシンボルは、プロセッサ９１４によって分析されうる。プロセッサ９１４は、モバイル端末９０２に関連するプログラム・コードおよび／またはデータを格納しうるメモリ９１６へ接続されうる。それに加えて、モバイル端末９０２は、方法論５００、６００および／またはその他の類似および適切な技術を実行するプロセッサ９１４を適用しうる。モバイル端末９０２はまた、前述した機能を有効にするために、これら図面で説明された１または複数の構成要素を適用しうる。１つの例において、これら構成要素は、プロセッサ９１４によって実現されうる。モバイル端末９０２はまた、アンテナ９０８を介した送信機９２０による送信のために、信号を多重化する変調器９１８を含みうる。
【００４６】
図１０を参照して、無線多元接続通信システムの例示が、さまざまな態様にしたがって提供される。一例において、アクセス・ポイント１０００（ＡＰ）は、複数のアンテナ・グループを含んでいる。図１０に例示するように、１つのアンテナ・グループは、アンテナ１００４、１００６を含み、別のアンテナ・グループは、アンテナ１００８、１０１０を含み、さらに別のアンテナ・グループは、アンテナ１０１２、１０１４を含みうる。図１０ではおのおののアンテナ・グループについて２つのアンテナしか例示されていないが、おのおののグループについて、それよりも多いか、あるいはそれよりも少ないアンテナが適用されうることが認識されるべきである。別の例において、アクセス端末１０１６は、アンテナ１０１２、１０１４と通信しうる。ここで、アンテナ１０１２、１０１４は、順方向リンク１０２０によってアクセス端末１０１６へ情報を送信し、逆方向リンク１０１８によってアクセス端末１０１６から情報を受信しうる。それに加えて、および／または、その代わりに、アクセス端末１０２２は、アンテナ１００６、１００８と通信しうる。ここで、アンテナ１００６、１００８は、順方向リンク１０２６によってアクセス端末１０２２へ情報を送信し、逆方向リンク１０２４によってアクセス端末１０２２から情報を受信しうる。周波数分割デュプレクス・システムでは、通信リンク１０１８、１０２０、１０２４、１０２６は、通信のために、異なる周波数を利用しうる。例えば、順方向リンク１０２０は、逆方向リンク１０１８によって使用されるものとは異なる周波数を使用しうる。
【００４７】
通信するように指定された領域および／またはアンテナのおのおののグループは、アクセス・ポイントのセクタと称されうる。１つの態様によれば、アクセス・ポイント１０００によってカバーされる領域のセクタ内のアクセス端末へ通信するために、複数のグループが設計されうる。順方向リンク１０２０および順方向リンク１０２６による通信では、アクセス・ポイント１０００の送信アンテナは、別々のアクセス端末１０１６、１０２２のための順方向リンクの信号対雑音比を向上するために、ビームフォーミングを適用しうる。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００４８】
例えばアクセス・ポイント１０００のようなアクセス・ポイントは、端末と通信するために使用される固定局でありえる。そして、基地局、ｅＮＢ、アクセス・ネットワーク、および／または、その他の適切な専門用語で称されうる。さらに、例えばアクセス端末１０１６またはアクセス端末１０２２のようなアクセス端末はまた、モバイル端末、ユーザ機器、無線通信デバイス、端末、無線端末、および／または、その他の適切な専門用語で称されうる。
【００４９】
図１１に示すように、本明細書に記載のさまざまな態様が機能しうる無線通信システム１１００の例が提供される。一例において、システム１１００は、送信機システム１１１０および受信機システム１１５０を含む複数入力複数出力（ＭＩＭＯ）システムである。しかしながら、送信機システム１１１０および／または受信機システム１１５０は、複数入力単数出力システムに適用することが可能であり、例えば、（例えば、基地局上の）複数の送信アンテナが、１または複数のシンボル・ストリームを、単一のアンテナ・デバイス（例えば、モバイル局）へ送信しうることが認識されるべきである。さらに、本明細書に記載された送信機システム１１１０および／または受信機システム１１５０の態様は、単一入力単一出力アンテナ・システムとの接続に利用されうることが認識されるべきである。
【００５０】
１つの態様によれば、多くのデータ・ストリームのトラフィック・データが、送信機システム１１１０において、データ・ソース１１１２から送信（ＴＸ）データ・プロセッサ１１１４へ提供される。一例において、その後、おのおののデータ・ストリームが、それぞれの送信アンテナ１１２４を介して送信されうる。それに加えて、ＴＸデータ・プロセッサ１１１４は、符合化されたデータを提供するために、トラフィック・データをフォーマットし、このデータ・ストリームのために選択された特定の符合化スキームに基づいて符号化し、インタリーブする。一例において、おのおののデータ・ストリームの符合化されたデータは、ＯＦＤＭ技術を用いてパイロット・データと多重化されうる。パイロット・データは一例として、既知の方法で処理される既知のデータ・パターンである。さらに、チャネル応答を推定するために、パイロット・データが、受信機システム１１５０において使用されうる。送信機システム１１１０に戻り、おのおののデータ・ストリームについて多重化されたパイロットおよび符合化されたデータは、変調シンボルを提供するために、おのおののデータ・ストリームについて選択された特定の変調スキーム（例えば、ＢＰＳＫ、ＱＰＳＫ、Ｍ−ＰＳＫ、またはＭ−ＱＡＭ）に基づいて変調（例えば、シンボル・マップ）されうる。一例において、おのおののデータ・ストリームのデータ・レート、符号化、および変調は、プロセッサ１１３０によって実行される命令群によって決定されうる。
【００５１】
次に、すべてのデータ・ストリームの変調シンボルが、ＴＸ  ＭＩＭＯプロセッサ１１２０に提供されうる。これはさらに、（例えば、ＯＦＤＭ用の）変調シンボルを処理しうる。ＴＸ  ＭＩＭＯプロセッサ１１２０はその後、ＮＴ個の変調シンボル・ストリームを、ＮＴ個の送信機（ＴＭＴＲ）１１２２ａ乃至１１２２ｔへ提供する。一例において、おのおののトランシーバ１１２２は、１または複数のアナログ信号を提供するために、それぞれのシンボル・ストリームを受信して処理する。おのおのの送信機１１２２は、その後さらに、ＭＩＭＯチャネルによる送信に適切な変調信号を提供するために、このアナログ信号を調整（例えば、増幅、フィルタ、およびアップコンバート）する。したがって、トランシーバ１１２２ａ乃至１１２２ｔからのＮＴ個の変調信号が、ＮＴ個のアンテナ１１２４ａ乃至１１２４ｔのそれぞれから送信されうる。
【００５２】
別の態様によれば、受信機システム１１５０において、送信された変調信号がＮＲ個のアンテナ１１５２ａ乃至１１５２ｒによって受信されうる。その後、おのおののアンテナ１１５２からの受信信号が、それぞれのトランシーバ１１５４へ提供される。一例において、おのおののトランシーバ１１５４は、それぞれの受信信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。その後、ＲＸ  ＭＩＭＯ／データ・プロセッサ１１６０は、ＮＲ個のトランシーバ１１５４からＮＲ個のシンボル・ストリームを受信し、受信されたこれらシンボル・ストリームを、特定の受信機処理技術に基づいて処理して、ＮＴ個の「検出された」シンボル・ストリームを提供する。一例において、検出されたおのおののシンボル・ストリームは、対応するデータ・ストリームのために送信された変調シンボルの推定値であるシンボルを含みうる。ＲＸ  ＭＩＭＯ／データ・プロセッサ１１６０はその後、検出されたおのおののデータ・ストリームを、復調、デインタリーブ、および復号することに少なくとも部分的に基づいて、おのおののデータ・ストリームを処理し、対応するデータ・ストリームのためのトラフィック・データが復元される。したがって、ＲＸ  ＭＩＭＯ／データ・プロセッサ１１６０による処理は、送信機システム１１１０におけるＴＸ  ＭＩＭＯプロセッサ１１２０およびＴＸデータ・プロセッサ１１１８によって実行されたものに対して相補的でありうる。ＲＸ  ＭＩＭＯ／データ・プロセッサ１１６０は、さらに、処理されたシンボル・ストリームを、データ・シンク１１６４へ提供しうる。
【００５３】
１つの態様によれば、受信機における空間／時間処理の実行、電力レベルの調節、変調レートまたはスキームの変更、および／または、その他の適切な動作のために、ＲＸ  ＭＩＭＯ／データ・プロセッサ１１６０によって生成されたチャネル応答推定値が使用されうる。それに加えて、ＲＸ  ＭＩＭＯ／データ・プロセッサ１１６０はさらに、例えば、検出されたシンボル・ストリームの信号対雑音および干渉比（ＳＮＲ）のようなチャネル特性を推定しうる。ＲＸ  ＭＩＭＯ／データ・プロセッサ１１６０はその後、これら推定されたチャネル特性を、プロセッサ１１７０へ提供しうる。一例において、ＲＸ  ＭＩＭＯ／データ・プロセッサ１１６０および／またはプロセッサ１１７０はさらに、このシステムのための「動作」ＳＮＲの推定値を導出しうる。プロセッサ１１７０はその後、通信リンクおよび／または受信したデータ・ストリームに関する情報を備えうるチャネル状態情報（ＣＳＩ）を提供しうる。この情報は、例えば、動作中のＳＮＲを含みうる。ＣＳＩはその後、ＴＸデータ・プロセッサ１１１８によって処理され、変調器１１８０によって変調され、受信機１１５４ａ乃至１１５４ｒによって調整され、送信機システム１１１０へ送り戻される。それに加えて、受信機システム１１５０におけるデータ・ソース１１１６が、ＴＸデータ・プロセッサ１１１８によって処理されるべき追加データを提供しうる。
【００５４】
送信機システム１１１０に戻り、受信機システム１１５０からの変調信号はその後、アンテナ１１２４によって受信され、トランシーバ１１２２によって調整され、復調器１１４０によって復調され、ＲＸデータ・プロセッサ１１４２によって処理されて、受信機システム１１５０によってレポートされたＣＳＩが復元される。一例において、レポートされたＣＳＩはその後プロセッサ１１３０へ提供され、１または複数のデータ・ストリームのために使用されるべき符合化および変調スキームのみならずデータ・レートを決定するために使用されうる。決定された符合化および変調スキームはその後、量子化および／または受信機システム１１５０へのその後の送信のために、トランシーバ１１２２へ提供されうる。それに加えて、および／または、その代わりに、レポートされたＣＳＩは、ＴＸデータ・プロセッサ１１１４およびＴＸ  ＭＩＭＯプロセッサ１１２０のためのさまざまな制御を生成するために、プロセッサ１１３０によって使用されうる。別の例では、ＲＸデータ・プロセッサ１１４２によって処理されたＣＳＩおよび／またはその他の情報が、データ・シンク１１４４へ提供されうる。
【００５５】
一例において、送信機システム１１１０におけるプロセッサ１１３０および受信機システム１１５０におけるプロセッサ１１７０は、それぞれのシステムにおける動作を指示する。さらに、送信機システム１１１０におけるメモリ１１３２と、受信機システム１１５０におけるメモリ１１７２とが、プロセッサ１１３０、１１７０のそれぞれによって使用されるプログラム・コードとデータのためのストレージを提供する。さらに、受信機システム１１５０では、さまざまな処理技術が、ＮＴ個の送信されたシンボル・ストリームを検出するために、ＮＲ個の受信信号を処理するために使用されうる。これらの受信機処理技術は、空間的および空間／時間受信機処理技術を含みうる。これらは、等値化技術、および／または、「連続ヌルイング／等値化および干渉除去」受信機処理技術とも称される。「連続ヌルイング／等値化および干渉除去」受信機処理技術は、「連続干渉除去」または「連続除去」受信機処理技術とも称されうる。
【００５６】
本明細書に記載された態様は、ハードウェア、ソフトウェア、ファームウェア、ミドルウェア、マイクロコード、あるいはこれらの任意の組み合わせによって実現されうることが理解されるべきである。システムおよび／または方法が、ソフトウェア、ファームウェア、ミドルウェアまたはマイクロコード、プログラム・コードまたはコード・セグメントで実現される場合、それらは、記憶構成要素のような機械読取可能媒体内に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００５７】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００５８】
上述したものは、１または複数の態様の一例を含んでいる。もちろん、上述した態様を説明する目的で、構成要素または方法の考えられる全ての組み合わせを記述することは可能ではないが、当業者であれば、さまざまな態様のさらに多くの組み合わせおよび置き換えが可能であることを認識することができる。したがって、記載された態様は、特許請求の範囲の精神および範囲内にあるそのような全ての変更、修正、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、詳細説明または特許請求の範囲の何れかで使用されている用語である「または」は、「限定しない、または」であると意味される。
以下に、本願出願の当初の特許請求の範囲に記載された発明を付記する。
［Ｃ１］
方法であって、
無線ネットワークを介した送信のために、複数のデータ・シンボルを受信することと、
利用可能な複数のプリコーダのうちの１つを用いることによって、前記複数のデータ・シンボルのうちの１つを事前符号化することと、
前記複数のデータ・シンボルにおける次のデータ・シンボルを事前符号化するために、プリコーダ・シーケンスにおいて指定された前記利用可能な複数のプリコーダから、次のプリコーダを選択することと
を備える方法。
［Ｃ２］
前記複数の利用可能なプリコーダの準ランダムな順序を指定する前記プリコーダ・シーケンスを受信することをさらに備えるＣ１に記載の方法。
［Ｃ３］
前記プリコーダ・シーケンスを受信することは、識別子あるいは１または複数の通信パラメータに少なくとも部分的に基づいて、前記利用可能な複数のプリコーダの順序を指定する前記プリコーダ・シーケンスを受信することを含むＣ２に記載の方法。
［Ｃ４］
前記プリコーダ・シーケンスを受信することは、前記識別子あるいは１または複数の通信パラメータに少なくとも部分的に基づいて、前記プリコーダ・シーケンスを生成することを含むＣ３に記載の方法。
［Ｃ５］
前記利用可能な複数のプリコーダのシーケンシャルな順序を指定する前記プリコーダ・シーケンスを受信することをさらに備えるＣ１に記載の方法。
［Ｃ６］
前記プリコーダ・シーケンスを受信することは、１または複数のパラメータにしたがってサイクリックにシフトされた前記利用可能な複数のプリコーダの順序を指定する前記プリコーダ・シーケンスを受信することを含むＣ５に記載の方法。
［Ｃ７］
前記利用可能な複数のプリコーダを選択することをさらに備え、
前記利用可能な複数のプリコーダは、無線デバイスによって利用される複数のプリコーダのサブセットであるＣ１に記載の方法。
［Ｃ８］
前記選択することは、１または複数の通信パラメータに少なくとも部分的に基づいて、
前記利用可能な複数のプリコーダを選択することを含むＣ７に記載の方法。
［Ｃ９］
前記選択することは、サウンディング基準信号の存在またはサイクリック・プレフィクス長さに基づいて、前記利用可能な複数のプリコーダを選択することを含むＣ８に記載の方法。
［Ｃ１０］
前記次のデータ・シンボルの再送信を事前符号化するために、前記プリコーダ・シーケンスにおける次のプリコーダに後続する別のプリコーダを選択することをさらに備えるＣ１に記載の方法。
［Ｃ１１］
無線通信装置であって、
無線ネットワークを介した送信のために複数のデータ・シンボルを取得し、
利用可能な複数のプリコーダのうちの１つを用いることによって、前記複数のデータ・シンボルのうちの１つを事前符号化し、
前記複数のデータ・シンボルにおける次のデータ・シンボルを事前符号化するために、プリコーダ・シーケンスで指定された前記利用可能な複数のプリコーダから、次のプリコーダを決定する
ように構成された少なくとも１つのプロセッサと、
前記少なくとも１つのプロセッサに接続されたメモリと
を備える無線通信装置。
［Ｃ１２］
前記プリコーダ・シーケンスは、前記利用可能な複数のプリコーダのシーケンシャルな順序を指定するＣ１１に記載の無線通信装置。
［Ｃ１３］
前記利用可能な複数のプリコーダのシーケンシャルな順序は、１または複数のパラメータにしたがってサイクリックにシフトされるＣ１２に記載の無線通信装置。
［Ｃ１４］
前記プリコーダ・シーケンスは、前記利用可能な複数のプリコーダの準ランダムな順序を指定するＣ１１に記載の無線通信装置。
［Ｃ１５］
前記利用可能な複数のプリコーダの準ランダムな順序は、前記無線通信装置の識別子あるいは１または複数の通信パラメータに少なくとも部分的に基づくＣ１４に記載の無線通信装置。
［Ｃ１６］
前記少なくとも１つのプロセッサはさらに、前記無線通信装置の識別子あるいは１または複数の通信パラメータに少なくとも部分的に基づいて前記プリコーダ・シーケンスを生成するように構成されたＣ１５に記載の無線通信装置。
［Ｃ１７］
前記少なくとも１つのプロセッサはさらに、前記利用可能な複数のプリコーダを、前記無線通信装置に存在するプリコーダのサブセットとして選択するように構成されたＣ１１に記載の無線通信装置。
［Ｃ１８］
前記少なくとも１つのプロセッサは、前記利用可能な複数のプリコーダを、１または複数の通信パラメータに少なくとも部分的に基づいて選択するＣ１７に記載の無線通信装置。
［Ｃ１９］
前記１または複数の通信パラメータは、サイクリック・プレフィクス長さまたはサウンディング基準信号存在を含むＣ１８に記載の無線通信装置。
［Ｃ２０］
前記少なくとも１つのプロセッサはさらに、前記次のデータ・シンボルの再送信を事前符号化するために、前記プリコーダ・シーケンスにおける前記次のプリコーダの後に指定された別のプリコーダを決定するように構成されたＣ１１に記載の無線通信装置。
［Ｃ２１］
装置であって、
無線ネットワークを介した送信のためにデータ・シンボルを取得する手段と、
プリコーダ・シーケンスにおける次のプリコーダにしたがって、前記データ・シンボルを事前符号化するためのプリコーダを選択する手段と、
前記プリコーダにしたがって、前記データ・シンボルを事前符号化する手段とを備える装置。
［Ｃ２２］
前記プリコーダ・シーケンスは、前記利用可能な複数のプリコーダのシーケンシャルな順序を指定するＣ２１に記載の装置。
［Ｃ２３］
前記利用可能な複数のプリコーダのシーケンシャルな順序は、前記装置に関連する１または複数のパラメータにしたがってサイクリックにシフトされるＣ２２に記載の装置。
［Ｃ２４］
前記プリコーダ・シーケンスは、前記利用可能な複数のプリコーダの準ランダムな順序を指定するＣ２１に記載の装置。
［Ｃ２５］
前記利用可能な複数のプリコーダの準ランダムな順序は、前記装置の識別子あるいは１または複数の通信パラメータに少なくとも部分的に基づくＣ２４に記載の装置。
［Ｃ２６］
前記装置の識別子あるいは１または複数の通信パラメータに少なくとも部分的に基づいて前記プリコーダ・シーケンスを生成する手段をさらに備えるＣ２５に記載の装置。
［Ｃ２７］
前記プリコーダを選択する手段はさらに、前記利用可能な複数のプリコーダを、前記装置に存在するプリコーダのサブセットとして選択するＣ２１に記載の装置。
［Ｃ２８］
前記プリコーダを選択する手段は、前記利用可能な複数のプリコーダを、１または複数の通信パラメータにしたがって選択するＣ２７に記載の装置。
［Ｃ２９］
前記１または複数の通信パラメータは、サイクリック・プレフィクス長さまたはサウンディング基準信号存在を含むＣ２８に記載の装置。
［Ｃ３０］
前記プリコーダを選択する手段はさらに、後続するデータ・シンボルを事前符号化するために、前記プリコーダ・シーケンスにおける次のプリコーダの後に後続するプリコーダを選択するＣ２１に記載の装置。
［Ｃ３１］
前記後続するデータ・シンボルは、前記データ・シンボルの再送信であるＣ３０に記載の装置。
［Ｃ３２］
コンピュータ読取可能媒体を備えるコンピュータ・プログラム製品であって、
前記コンピュータ読取可能媒体は、
少なくとも１つのコンピュータに、無線ネットワークを介した送信のために複数のデータ・シンボルを取得させるためのコードと、
前記少なくとも１つのコンピュータに、利用可能な複数のプリコーダのうちの１つを用いることによって、前記複数のデータ・シンボルのうちの１つを事前符号化させるためのコードと、
前記複数のデータ・シンボルにおける次のデータ・シンボルを事前符号化するために、
前記少なくとも１つのコンピュータに、プリコーダ・シーケンスで指定された利用可能な複数のプリコーダから、次のプリコーダを決定させるためのコードと
を備えるコンピュータ・プログラム製品。
［Ｃ３３］
前記プリコーダ・シーケンスは、前記利用可能な複数のプリコーダのシーケンシャルな順序を指定するＣ３２に記載のコンピュータ・プログラム製品。
［Ｃ３４］
前記利用可能な複数のプリコーダのシーケンシャルな順序は、１または複数のパラメータにしたがってサイクリックにシフトされるＣ３３に記載のコンピュータ・プログラム製品。
［Ｃ３５］
前記プリコーダ・シーケンスは、前記利用可能な複数のプリコーダの準ランダムな順序を指定するＣ３２に記載のコンピュータ・プログラム製品。
［Ｃ３６］
前記利用可能な複数のプリコーダの準ランダムな順序は、識別子あるいは１または複数の通信パラメータに少なくとも部分的に基づくＣ３５に記載のコンピュータ・プログラム製品。
［Ｃ３７］
前記コンピュータ読取可能媒体はさらに、前記少なくとも１つのコンピュータに対して、前記識別子あるいは前記１または複数の通信パラメータに少なくとも部分的に基づいて前記プリコーダ・シーケンスを生成させるためのコードを備えるＣ３６に記載のコンピュータ・プログラム製品。
［Ｃ３８］
前記コンピュータ読取可能媒体はさらに、前記少なくとも１つのコンピュータに対して、前記利用可能な複数のプリコーダを、無線デバイスに存在するプリコーダのサブセットとして選択させるためのコードを備えるＣ３２に記載のコンピュータ・プログラム製品。
［Ｃ３９］
前記少なくとも１つのコンピュータに対して、前記利用可能な複数のプリコーダを選択させるためのコードは、１または複数の通信パラメータに少なくとも部分的に基づいて、
前記利用可能な複数のプリコーダを選択するＣ３８に記載のコンピュータ・プログラム製品。
［Ｃ４０］
前記１または複数の通信パラメータは、サイクリック・プレフィクス長さまたはサウンディング基準信号存在を含むＣ３９に記載のコンピュータ・プログラム製品。
［Ｃ４１］
前記コンピュータ読取可能媒体はさらに、前記次のデータ・シンボルの再送信を事前符号化するために、前記少なくとも１つのコンピュータに対して、前記プリコーダ・シーケンスにおける次のプリコーダの後に指定された別のプリコーダを決定させるためのコードを備えるＣ３２に記載のコンピュータ・プログラム製品。
［Ｃ４２］
装置であって、
無線ネットワークを介した送信のためにデータ・シンボルを取得するデータ・シンボル受信構成要素と、
プリコーダ・シーケンスにおける次のプリコーダにしたがって、前記データ・シンボルを事前符号化するためのプリコーダを決定するプリコーダ選択構成要素と、
前記プリコーダにしたがって、前記データ・シンボルまたは代表信号を事前符号化する信号事前符号化構成要素と
を備える装置。
［Ｃ４３］
前記プリコーダ・シーケンスは、利用可能な複数のプリコーダのシーケンシャルな順序を指定するＣ４２に記載の装置。
［Ｃ４４］
前記利用可能な複数のプリコーダのシーケンシャルな順序は、前記装置に関連する１または複数のパラメータにしたがってサイクリックにシフトされるＣ４３に記載の装置。
［Ｃ４５］
前記プリコーダ・シーケンスは、利用可能な複数のプリコーダの準ランダムな順序を指定するＣ４２に記載の装置。
［Ｃ４６］
前記利用可能な複数のプリコーダの準ランダムな順序は、前記装置の識別子あるいは１または複数の通信パラメータに少なくとも部分的に基づくＣ４５に記載の装置。
［Ｃ４７］
前記装置の識別子あるいは１または複数の通信パラメータに少なくとも部分的に基づいて前記プリコーダ・シーケンスを生成するプリコーダ・シーケンス生成構成要素をさらに備えるＣ４６に記載の装置。
［Ｃ４８］
前記プリコーダ選択構成要素はさらに、前記利用可能な複数のプリコーダを、前記装置に存在するプリコーダのサブセットとして選択するＣ４２に記載の装置。
［Ｃ４９］
前記プリコーダ選択構成要素は、前記利用可能な複数のプリコーダを、１または複数の通信パラメータにしたがって選択するＣ４８に記載の装置。
［Ｃ５０］
前記１または複数の通信パラメータは、サイクリック・プレフィクス長さまたはサウンディング基準信号存在を含むＣ４９に記載の装置。
［Ｃ５１］
前記プリコーダ選択構成要素はさらに、後続するデータ・シンボルを事前符号化するために、前記プリコーダ・シーケンスにおける次のプリコーダの後に後続するプリコーダを選択するＣ４２に記載の装置。
［Ｃ５２］
前記後続するデータ・シンボルは、前記データ・シンボルの再送信であるＣ５１に記載の装置。
【図１】
0005485297.tif 000002
【図２】
0005485297.tif 000003
【図３】
0005485297.tif 000004
【図４】
0005485297.tif 000005
【図５】
0005485297.tif 000006
【図６】
0005485297.tif 000007
【図７】
0005485297.tif 000008
【図８】
0005485297.tif 000009
【図９】
0005485297.tif 000010
【図１０】
0005485297.tif 000011
【図１１】
0005485297.tif 000012